(57)【要約】【課題】通気性が充分に確保された下半身用下着を提供する。【解決手段】トランクス１は、腰回り部３を有する本体２を備え、腰回り部３に、本体２の内部と本体２の外部とが通じた通気路６が形成されている。通気路６は、腰回り部３と、腰回り部３に沿って本体２の内側に配置された内側腰回り部材４と、腰回り部３及び内側腰回り部材４の間に配置されたフェルト製の間隔保持部材５とに囲まれた空間である。内側腰回り部材４の上部の位置は、腰回り部３の上部の位置よりも上方にある。【選択図】図１
2010070890.tif 000002
【特許請求の範囲】
【請求項１】
腰回り部を有する本体を備え、
該腰回り部に、前記本体の内部と前記本体の外部とが通じた通気路が形成された
下半身用下着。
【請求項２】
前記通気路は、前記腰回り部と、前記腰回り部に沿って前記本体の内側に配置された内側腰回り部材と、前記腰回り部及び該内側腰回り部材の間に配置された間隔保持部材とに囲まれた空間であり、
前記内側腰回り部材の上部の位置は、前記腰回り部の上部の位置よりも上方にあり、
前記腰回り部の上部と、前記内側腰回り部材の上部と、前記間隔保持部材の上面は略同一面内に位置する
請求項１に記載の下半身用下着。
【請求項３】
前記腰回り部の上下方向の長さは、５ｃｍ以上である
請求項１または請求項２に記載の下半身用下着。
【請求項４】
前記間隔保持部材はフェルトで構成された
請求項２または請求項３に記載の下半身用下着。
【請求項５】
前記通気路は、着脱可能な通気路形成部材によって形成された
請求項１に記載の下半身用下着。
【発明の詳細な説明】
【技術分野】
【０００１】
本発明は下半身用下着に関する。詳しくは、通気性が良い下半身用下着に係るものである。
【背景技術】
【０００２】
下着特にトランクス等の男性用下着を着用した場合、男性器の睾丸部と太ももとが接触した状態であることが多い。そのため、睾丸部の周辺の通気性が悪く、例えば長時間座った状態が続いたり、運動したりすると、睾丸部の周辺で汗をかきやすくなり、互いに密着して蒸れていた。
従って、着用者の男性器周辺は不衛生になりやすく、例えば、汗疹やインキンタムシ等の皮膚病を発症し、発症した皮膚病が悪化しやすかった。
【０００３】
そこで、例えば特許文献１には、図５に示すような男性用パンツが記載されている。即ち、パンツ本体１０１の前身頃１０２には、男性局部を出し入れする開閉窓１０３が設けられており、前身頃１０２の内面に適当な広さの仕切り布１０４が配備され、仕切り布１０４は、その両側及び下辺が前身頃１０２に縫着され、仕切り布１０４が男性局部と股内面との間に介在するよう構成されている。
【０００４】
【特許文献１】実開平６−１２４０４号公報
【発明の開示】
【発明が解決しようとする課題】
【０００５】
しかしながら、特許文献１の男性用パンツでは、仕切り布で構成された袋状の狭い収容部分に男性局部を収容するので、通気性が充分に確保できず蒸れやすいと共に、着用者は違和感や不快感を覚えていた。
【０００６】
本発明は、以上の点に鑑みて創案されたものであり、通気性が充分に確保された下半身用下着を提供することを目的とする。
【課題を解決するための手段】
【０００７】
上記の目的を達成するために、本発明の下半身用下着は、腰回り部を有する本体を備え、該腰回り部に、前記本体の内部と前記本体の外部とが通じた通気路が形成されたものである。
【０００８】
ここで、腰回り部に、本体の内部と本体の外部とが通じた通気路が形成されることによって、本体の内部の空気と本体の外部の空気とを交換することができる。
【０００９】
また、本発明の下半身用下着において、通気路は、腰回り部と、腰回り部に沿って本体の内側に配置された内側腰回り部材と、腰回り部及び内側腰回り部材の間に配置された間隔保持部材とに囲まれた空間であり、内側腰回り部材の上部の位置は、腰回り部の上部の位置よりも上方にあり、腰回り部の上部と、内側腰回り部材の上部と、間隔保持部材の上面は略同一面内に位置する場合、内側腰回り部材の上部の位置は、腰回り部の上部の位置よりも上方にあるので、内側腰回り部材と腰回り部との間で段差が形成され、着用者の腹部の肉が内側腰回り部材に乗り上げても腰回り部にまで腹部の肉が及びにくく、通気路が腹部の肉によって塞がれたり、通気路内に腹部の肉が入り込んだりしにくくなる。
【００１０】
また、本発明の下半身用下着において、腰回り部の上下方向の長さは、５ｃｍ以上である場合、下半身用下着の上からスラックスやジーンズ等を着用しても、腰回り部に形成された通気路がスラックスやジーンズ等の腰回り部と重なり易くなり、よってスラックスやジーンズ等の内部に埋没しにくくなるので通気を確保し易い。
【００１１】
また、本発明の下半身用下着において、間隔保持部材はフェルトで構成された場合、間隔保持部材を取付け易く、しかも間隔保持部材を取付けたまま洗うことができ、しかも柔軟性を有するので着用者の身体にフィットし易い。
【００１２】
また、本発明の下半身用下着において、通気路は、着脱可能な通気路形成部材によって形成された場合、従来の下半身用下着を利用して本発明の下半身用下着を得ることができる。
【発明の効果】
【００１３】
本発明に係る下半身用下着は、通気性を充分に確保することができる。
【発明を実施するための最良の形態】
【００１４】
以下、本発明の実施の形態について図面を参照しながら説明し、本発明の理解に供する。
図１は、本発明の下半身用下着の一例を説明する概略図である。また、図２は、図１に示した本発明の下半身用下着を上から見た概略図である。また、図３は、図２に示すＡ−Ａ線に沿った断面図である。
【００１５】
本発明のトランクス（下半身用下着の一例である。）１は、腰回り部３を有する本体２を備え、腰回り部３に、本体２の内部と本体２の外部とが通じた通気路６が形成されている。
また、通気路６は、腰回り部３と、腰回り部３に沿って本体２の内側に配置された内側腰回り部材４と、腰回り部３及び内側腰回り部材４の間に配置されたフェルト製の間隔保持部材５とに囲まれた空間である。
また、腰回り部３の上下方向（着用者の身長に沿った方向）の長さは、５ｃｍ以上例えば５〜８ｃｍである。
また、腰回り部３と内側腰回り部材４との間の距離即ち間隔保持部材５の厚さは、２〜３ｍｍである。
【００１６】
また、図２に示すように、通気路６は腰回り部３の全周にわたって形成されており、腰回り部３の前後の領域（腹や腰に接触する領域）に配置された間隔保持部材５間の距離よりも、腰回り部３の側方領域（脇腹に接触する領域）に配置された間隔保持部材５間の距離のほうが短い。このようにすることで、本発明のトランクス１を使用者が着用した際、腰回り部３の側方領域が伸びても、通気路６が潰れにくくなる。
【００１７】
また、図３に示すように、内側腰回り部材４の上部の位置は、腰回り部３の上部の位置よりも上方にあり、腰回り部３の上部と、内側腰回り部材４の上部と、間隔保持部材５の上面は略同一面内に位置する。即ち、間隔保持部材５の上面は傾斜している。
【００１８】
ここで、腰回り部３に、本体２の内部と本体２の外部とが通じた通気路６が形成されていれば、必ずしも通気路６は、腰回り部３と、腰回り部３に沿って本体２の内側に配置された内側腰回り部材４と、腰回り部３及び内側腰回り部材４の間に配置されたフェルト製の間隔保持部材５とに囲まれた空間でなくてもよく、例えば後述するような部材を用いて通気路を形成してもよいし、また、ゴム製の間隔保持部材を用いてもよいが、フェルト製の間隔保持部材であれば、間隔保持部材を取付け易く、しかも間隔保持部材を取付けたまま洗うことができ、しかも柔軟性を有するので着用者の身体にフィットしやすく、好ましい。
【００１９】
また、腰回り部３に、本体２の内部と本体２の外部とが通じた通気路６が形成されていれば、必ずしも内側腰回り部材４の上部の位置は、腰回り部３の上部の位置よりも上方になくてもよく、また、腰回り部３の上部と、内側腰回り部材４の上部と、間隔保持部材５の上面は略同一面内に位置しなくてもよいが、内側腰回り部材４の上部の位置が、腰回り部３の上部の位置よりも上方にあり、腰回り部３の上部と、内側腰回り部材４の上部と、間隔保持部材５の上面は略同一面内に位置にあれば、内側腰回り部材４と腰回り部３との間で段差が形成され、着用者の腹部の肉が内側腰回り部材４に乗り上げても、通気路６が腹部の肉によって塞がれたり、通気路６内に腹部の肉が入り込んだりしにくく、好ましい。
【００２０】
また、腰回り部３に、本体２の内部と本体２の外部とが通じた通気路６が形成されていれば、必ずしも腰回り部３の上下方向の長さは、５ｃｍ以上でなくてもよいが、腰回り部３の上下方向の長さが、５ｃｍ以上であれば、下半身用下着の上からスラックスやジーンズ等を着用しても、腰回り部３に形成された通気路６がスラックスやジーンズ等の腰回り部と重なり易くなり、よってスラックスやジーンズ等の内部に埋没しにくくなるので通気を確保し易く、好ましい。
【００２１】
図４は、着脱可能な通気路形成部材によって通気路が形成される一例を説明する概略図である。図４（ａ）に示すように、複数の縦部材と各縦部材の一方の端部同士を連結する横部材とを備えると共に、縦部材と横部材が上から見てＷ字状に配置されて成る通気路形成部材７を、一般的なトランクスの腰回り部３の上から腰回り部３が蛇行するように腰回り部３に取付ける。
その結果、図４（ｂ）に示すように、腰回り部３を蛇行させた状態で固定することができ、一般的なトランクスの腰回り部３にも通気路６を形成することができる。
【００２２】
以上のように、本発明の下半身用下着は、腰回り部に、本体の内部と本体の外部とが通じた通気路が形成されているので、本体の内部の空気と本体の外部の空気とを交換することができ、通気性を充分に確保することができる。また、本発明の下半身用下着の上からスラックス等を着用しても、着用者が立ったり座ったりという動作を行なう度にスラックス等がポンプの役割を成し、本発明の下半身用下着の通気路と相乗して、通気性をより向上させる。
【００２３】
また、内側腰回り部材の上部の位置は、腰回り部の上部の位置よりも上方にあるので、内側腰回り部材と腰回り部との間で段差が形成され、着用者の腹部の肉が内側腰回り部材に乗り上げても腰回り部にまで腹部の肉が及びにくく、通気路が腹部の肉によって塞がれたり、通気路内に腹部の肉が入り込んだりしにくくなる。
【００２４】
また、腰回り部の上下方向の長さは５ｃｍ以上（５〜８ｃｍ）なので、下半身用下着の上からスラックスやジーンズ等を着用しても、腰回り部に形成された通気路がスラックスやジーンズ等の腰回り部と重なり易くなり、よってスラックスやジーンズ等の内部に埋没しにくくなるので通気を確保し易い。
【００２５】
また、間隔保持部材はフェルト製なので、間隔保持部材を取付け易く、しかも間隔保持部材を取付けたまま洗うことができ、しかも柔軟性を有するので着用者の身体にフィットし易い。
【図面の簡単な説明】
【００２６】
【図１】本発明の下半身用下着の一例を説明する概略図である。
【図２】図１に示した本発明の下半身用下着を上から見た概略図である。
【図３】図２に示すＡ−Ａ線に沿った断面図である。
【図４】着脱可能な通気路形成部材によって通気路が形成される一例を説明する概略図である。
【図５】従来の男性用パンツの概略図である。
【符号の説明】
【００２７】
１    トランクス
２    本体
３    腰回り部
４    内側腰回り部材
５    間隔保持部材
６    通気路
７    通気路形成部材
【図１】
2010070890.tif 000003
【図２】
2010070890.tif 000004
【図３】
2010070890.tif 000005
【図４】
2010070890.tif 000006
【図５】
2010070890.tif 000007